(57)【要約】【課題】支柱の一端部に搭載されたカメラを障害物にぶつけてしまった場合に、従来よりもカメラが受ける衝撃を和らげることができる技術を提供する。【解決手段】本発明の撮影装置１は、細長い棒状の支柱２と、この支柱２の一端部に固定された雲台３と、この雲台３にナット部材９を用いて取り付けられたカメラ４と、を備える。雲台３の本体は、衝撃吸収材であるゴムで構成されている。【選択図】図１
2016095391.tif 000002
【特許請求の範囲】
【請求項１】
支柱と、
前記支柱の一端部に固定された雲台と、
前記雲台に取り付けられたカメラと、
を備え、
前記雲台の本体が衝撃吸収材で構成されている
ことを特徴とする撮影装置。
【請求項２】
支柱と、
前記支柱の一端部にカメラを搭載するために前記支柱の一端部に固定された雲台と、
を備え、
前記雲台の本体が衝撃吸収材で構成されている
ことを特徴とする撮影用機器。
【請求項３】
前記雲台の本体は、
一端側が前記支柱に嵌合して固定され、他端側が前記支柱から突出して配置される軸部材と、
前記軸部材の他端側に嵌合して固定されるとともに、前記カメラを取り付けるための取付面を有するカメラ取付用部材と、を少なくとも有し、
前記軸部材および前記カメラ取付用部材が、共に前記衝撃吸収材で構成されている
ことを特徴とする請求項２に記載の撮影用機器。
【請求項４】
前記衝撃吸収材がゴムである
ことを特徴とする請求項２または３に記載の撮影用機器。
【請求項５】
前記ゴムのＪＩＳ Ｋ ６２５３ デュロメーター硬さ試験 タイプＡ硬度が、３０以上、７０以下である
ことを特徴とする請求項４に記載の撮影用機器。
【請求項６】
前記雲台は、当該雲台に前記カメラを固定するためのカメラネジとして、前記雲台の本体の側面から突出するように第１のカメラネジと、前記雲台の本体の上端面から突出するように設けられた第２のカメラネジと、を備える
ことを特徴とする請求項２〜５のいずれかに記載の撮影用機器。
【発明の詳細な説明】
【技術分野】
【０００１】
本発明は、撮影装置および撮影用機器に係り、特に、高所撮影に適した撮影装置および撮影用機器に関する。
【背景技術】
【０００２】
近年、東日本大震災などをきっかけに建物施設の耐震性強化や定期点検が重要視されている。特に、体育館などの学校施設では、安全性の確保の観点から定期的な点検作業が行われている。一例を挙げると、体育館ではバスケットゴールの点検が行われている。
【０００３】
一般に、体育館に設置されるバスケットゴールの多くは天井吊り下げ式になっている。また、バスケットゴールの点検は、体育館の天井部分に取り付けられたフレーム部材とこれに支持されたバスケットゴール本体（ボードとリング）を対象に行われる。このため、バスケットゴールの点検箇所は、体育館の床面から５ｍ以上の高所となる場合が多い。
【０００４】
このような高所の点検に際して、従来では、体育館の館内に足場を組んだり梯子を設置したりして、作業者が高所に登り、そこで点検を行っている。しかし、このような点検作業では、作業者が足場等から転落するなどの事故が発生するおそれがある。
そこで、高所の点検を安全に行うための技術が、たとえば、特許文献１に記載されている。この特許文献１に記載の技術では、支柱本体を三脚部材で保持し、支柱本体の一端部（上端部）に搭載したカメラで高所の点検箇所を撮影することにより、作業者の安全を確保している。
【先行技術文献】
【特許文献】
【０００５】
【特許文献１】特開２００２−２６２１３３号公報
【発明の概要】
【発明が解決しようとする課題】
【０００６】
上記特許文献１に記載の技術では、高所点検のための装置を据え付けるべき場所に三脚部材を設置し、その三脚部材で保持した支柱本体を上方に伸ばすことにより、高所点検を行う構成になっている。このため、複数の箇所を点検する場合は、各々の点検箇所にあわせて装置の設置場所を移動したりカメラの向きを変えたりする必要があり、手間がかかる。そこで、三脚部材を使わずに、作業者が支柱を把持しながらカメラを点検箇所に近づけて撮影する方法もある。そうした場合、たとえば吊り下げ式のバスケットゴールの点検作業では、体育館の天井部分に取り付けられるフレーム部材が入り組んだ構造になっているため、撮影の邪魔になる障害物がカメラの周囲に存在する。このため、点検箇所を変えるときなどに誤ってカメラを障害物にぶつけてしまい、それが原因でカメラが故障してしまうことがある。
【０００７】
特に、点検箇所が高くなると、慎重に作業していても、カメラを障害物にぶつけやすい状況になる。その理由は主に３つある。第１の理由は、点検箇所が高くなると、それだけ支柱を長く伸ばす必要があり、これによって支柱を少し傾けただけでも高所にあるカメラが大きく動いてしまうからである。第２の理由は、カメラを搭載した支柱を長く伸ばすと、撮影装置全体の重心がカメラ側に移動するため、障害物との衝突によってカメラが受ける衝撃が相対的に大きくなるからである。第３の理由は、点検箇所が高くなると、作業者からカメラまでの距離が長くなり、カメラの位置を把握しにくくなるからである。
【０００８】
本発明の主な目的は、支柱の一端部に搭載されたカメラを障害物にぶつけてしまった場合に、従来よりもカメラが受ける衝撃を和らげることができる撮影装置および撮影用機器を提供することにある。
【課題を解決するための手段】
【０００９】
本発明の第１の態様は、
支柱と、
前記支柱の一端部に固定された雲台と、
前記雲台に取り付けられたカメラと、
を備え、
前記雲台の本体が衝撃吸収材で構成されている
ことを特徴とする撮影装置である。
【００１０】
本発明の第２の態様は、
支柱と、
前記支柱の一端部にカメラを搭載するために前記支柱の一端部に固定された雲台と、
を備え、
前記雲台の本体が衝撃吸収材で構成されている
ことを特徴とする撮影用機器である。
【００１１】
本発明の第３の態様は、
前記雲台の本体は、
一端側が前記支柱に嵌合して固定され、他端側が前記支柱から突出して配置される軸部材と、
前記軸部材の他端側に嵌合して固定されるとともに、前記カメラを取り付けるための取付面を有するカメラ取付用部材と、を少なくとも有し、
前記軸部材および前記カメラ取付用部材が、共に前記衝撃吸収材で構成されている
ことを特徴とする上記第２の態様に記載の撮影用機器である。
【００１２】
本発明の第４の態様は、
前記衝撃吸収材がゴムである
ことを特徴とする上記第２または第３の態様に記載の撮影用機器である。
【００１３】
本発明の第５の態様は、
前記ゴムのＪＩＳ Ｋ ６２５３ デュロメーター硬さ試験 タイプＡ硬度が、３０以上、７０以下である
ことを特徴とする請求項上記第４の態様に記載の撮影用機器である。
【００１４】
本発明の第６の態様は、
前記雲台は、当該雲台に前記カメラを固定するためのカメラネジとして、前記雲台の本体の側面から突出するように第１のカメラネジと、前記雲台の本体の上端面から突出するように設けられた第２のカメラネジと、を備える
ことを特徴とする上記第２〜第５の態様のいずれかに記載の撮影用機器である。
【発明の効果】
【００１５】
本発明によれば、支柱の一端部に搭載されたカメラを障害物にぶつけてしまった場合に、従来よりもカメラが受ける衝撃を和らげることができる。
【図面の簡単な説明】
【００１６】
【図１】本発明の実施の形態に係る撮影装置の主要部の構成例を示すもので、図中（Ａ）は撮影装置の正面図、（Ｂ）は撮影装置の側面図である。
【図２】本発明の実施の形態に係るカメラの構成例を示すもので、図中（Ａ）はカメラの正面図、（Ｂ）はカメラの側面図である。
【図３】発明の実施の形態に係る雲台の分解斜視図である。
【図４】本発明の実施の形態に係る雲台の組立状態を示す縦断面図である。
【図５】本発明の実施の形態に係る雲台の組立途中の状態を示す斜視図である。
【発明を実施するための形態】
【００１７】
以下、本発明の実施の形態について図面を参照しつつ詳細に説明する。
本発明の実施の形態においては、次の順序で説明を行う。
１．撮影装置の構成
２．撮影装置の製造方法
３．実施の形態の効果
４．変形例等
【００１８】
＜１．撮影装置の構成＞
図１は本発明の実施の形態に係る撮影装置の主要部の構成例を示すもので、図中（Ａ）は撮影装置の正面図、（Ｂ）は撮影装置の側面図である。
図示した撮影装置１は、大きくは、支柱２と、この支柱２の一端部に固定された雲台３と、この雲台３に取り付けられたカメラ４と、を備えている。このうち、支柱２および雲台３は、本発明における撮影用機器を構成するものである。また、カメラ４は、当該撮影用機器との組み合わせによって撮影装置１を構成するものである。カメラ４にはブラケット７が付属している。このブラケット７は、ナット部材９を用いて雲台３に固定されている。以下、撮影装置１の各構成部分について詳しく説明する。
【００１９】
（支柱）
支柱２は、たとえば、円筒形の細長い棒状に形成されている。支柱２は、たとえば、アルミニウムなどの金属（合金を含む）、あるいは硬質のプラスチックなどによって構成されている。支柱２の長さは、撮影の目的や対象物によって任意に設定することが可能である。また、支柱２は、支柱２の長さ（全長）を調整する長さ調整機構を備えていてもよい。長さ調整機構としては、図示はしないが、太さの異なる複数のパイプを回転ロック式のジョイント部材で相互に連結した多段階の伸縮式構造を採用することが可能である。支柱２に長さ調整機構を設けた場合は、保管時や運搬時などに支柱２を短く縮めて保管スペースを最小化することが可能となる。また、高所の点検の際には、支柱２を長く伸ばすことにより、点検箇所を撮影することが可能となる。このため、作業者の安全を確保することができる。
【００２０】
（雲台）
雲台３は、支柱２の一端部にカメラ４を搭載するために、支柱２の一端部に固定されている。ここで記述する支柱２の一端部とは、支柱２の長さ方向（以下、「中心軸方向」ともいう。）の一方の端部を意味する。支柱２の一端部は、たとえば支柱２をほぼ垂直に立ててカメラ４を高所に配置したときに、支柱２の上端部に相当する部分となる。雲台３の詳細については後述する。
【００２１】
（カメラ）
カメラ４は、静止画、動画などの画像を撮影する機能を有するものである。カメラ４で撮影した画像は、カメラ４が備える無線通信機能により、図示しないモニタ付きの受信機に表示されるとともに、必要に応じて、受信機の内部メモリや外部メモリに記録可能になっている。なお、カメラ４と受信機との間の通信は、無線通信に限らず、有線通信であってもよい。
【００２２】
図２は本発明の実施の形態に係るカメラの構成例を示すもので、図中（Ａ）はカメラの正面図、（Ｂ）はカメラの側面図である。
カメラ４は、レンズ５と、このレンズ５を通して撮像する撮像素子（不図示）と、これらを保持する筐体６と、この筐体６に連結されたブラケット７と、を備える。レンズ５は、画質を優先して単焦点レンズになっている。ただし、必要に応じて、レンズ５をズームレンズにしてもよい。撮像素子は、たとえば、ＣＭＯＳ（Complementary Metal Oxide Semiconductor）撮像素子、あるいはＣＣＤ（Charge Coupled Device）撮像素子などを用いて構成されるものである。撮像素子の有効画素数は、撮影の目的にもよるが、１０００万画素以上であることが好ましい。特に、屋内施設や屋外施設の安全点検として、たとえば、構造物の腐食具合や、ボルト、ナット等の緩み具合、さらには亀裂の有無などを確認するために、所定の点検箇所を撮影する場合は、上述のように撮影素子の有効画素数を十分に確保して高精細な画像を得ることが望ましい。筐体６は、たとえば硬質のプラスチックによって構成されている。ブラケット７は、図示しないヒンジ機構により図中矢印方向に回動可能に支持されている。ブラケット７には取付用孔８が設けられている。取付用孔８は、縦方向に長い長孔になっている。
【００２３】
（雲台の詳細）
一般に、カメラの取り付けに使用される雲台の主要部（雲台の本体を含む）は、アルミニウムなどの金属や硬質のプラスチックなどで構成されている。そして、このような公知の雲台では、カメラ取付用の台座部分だけにコルクラバーやゴムシートなどを貼り付けた構成になっている。
これに対して、本実施の形態においては、雲台３の本体が、衝撃吸収材で構成されている。雲台３の本体とは、支柱２の一端部に雲台３を介してカメラ４を取り付ける場合に、雲台３の主要な部分を構成するものである。雲台３全体に占める体積比率を規定すると、雲台３の本体は、少なくとも３０％以上、好ましくは５０％以上、より好ましくは７０％以上の体積比率を有する部分である。
【００２４】
衝撃吸収材の好適な例としては、弾性体であるゴムを挙げることができ、特に好ましくは硬質のゴムを挙げることができる。ここで、衝撃吸収材として用いるゴムの硬度を、ＪＩＳ Ｋ ６２５３ デュロメーター硬さ試験 タイプＡ硬度で規定すると、３０以上、７０以下であることが好ましい。その理由は、当該ゴムの硬度が３０未満では撮影時にブレ等が生じやすくなり、当該ゴムの硬度が７０超では十分な衝撃吸収効果が得られにくくなるからである。
このような硬度の要件を満たすゴムの種類としては、たとえば、ブチルゴムなどを挙げることができる。
【００２５】
図３は本発明の実施の形態に係る雲台の分解斜視図であり、図４は本発明の実施の形態に係る雲台の組立状態を示す縦断面図である。
雲台３は、大きくは、軸部材３１と、カメラ取付用部材３２と、蓋部材３３と、第１のカメラネジ３４と、第２のカメラネジ３５と、を備えた構成になっている。このうち、軸部材３１、カメラ取付用部材３２および蓋部材３３は、雲台３の本体を構成しており、これらの構成部材のいずれもが衝撃吸収材（本形態例ではゴム）によって構成されている。また、第１のカメラネジ３４は、雲台３の本体の側面から突出するように設けられている。第１のカメラネジ３４は、たとえば、ステンレス製の１／４インチネジによって構成されている。１／４インチネジは、ネジ部の外径が１／４インチのネジであって、一般にカメラネジとして多用されている。第２のカメラネジ３５は、雲台３の本体の上端面に突出するように設けられている。第２のカメラネジ３５も、第１のカメラネジ３４と同様にステンレス製の１／４インチネジによって構成されている。以下に、雲台３の各部の構成について更に詳しく説明する。
【００２６】
（軸部材）
軸部材３１は、一端側が支柱２に嵌合して固定され、他端側が支柱２から突出して配置されるものである。軸部材３１は、第１軸部３６と第２軸部３７とを一体に有している。第１軸部３６は、軸部材３１の一端側に位置し、第２軸部３７は、軸部材３１の他端側に位置している。第１軸部３６は横断面円環状に形成され、第２軸部３７は横断面略Ｃ字形に形成されている。また、第１軸部３６の外周面と第２軸部３７の外周面とは、互いに同心状に形成されている。
【００２７】
第１軸部３６は、支柱２に嵌合して固定されるものである。第１軸部３６は、支柱２の筒内に挿入（圧入）可能に構成されている。第１軸部３６の中心軸上には横断面円形の軸孔３８が形成されている。軸孔３８は、第１軸部３６を中心軸方向に貫通している。
【００２８】
第２軸部３７は、第１軸部３６を支柱２に嵌合し固定した状態で、支柱２の一端部から軸方向に突出して配置されるものである。第２軸部３７は、カメラ取付用部材３２と嵌合可能に構成されている。第２軸部３７には溝部３９が形成されている。第２軸部３７は、円筒形の一部を軸部材３１の中心軸方向に切り欠いた形態になっており、その切り欠き面４０の一部を凹状にへこませた状態で溝部３９が形成されている。切り欠き面４０は、溝部３９の両側に平面状に形成されている。溝部３９は、軸部材３１の中心軸方向に沿って横断面略半円形に形成されている。また、溝部３９は、第１軸部３６の軸孔３８と同一の円周を形成している。ただし、これに限らず、溝部３９の幅を必要に応じて部分的に幅広に形成してもよい。第１軸部３６と第２軸部３７の境界部には、段付き部４１と突き当て面４２が形成されている。段付き部４１は、第１軸部３６の外周面と第２軸部３７の外周面との外径差によって形成されている。突き当て面４２は、上述した切り欠き面４０と直角をなす面であって、第１軸部３６の一端面を形成している。
【００２９】
（カメラ取付用部材）
カメラ取付用部材３２は、上述した軸部材３１の他端側（第２軸部３７）に嵌合して固定されるものである。カメラ取付用部材３２は、横断面略Ｄ字形に形成されている。カメラ取付用部材３２の内部には中空部４５が形成されている。カメラ取付用部材３２の外面は、上端面４７と、下端面４８と、側面４９とによって構成されている。また、カメラ取付用部材３２の側面４９は、曲面部５０と平面部５１によって構成されている。このうち、平面部５１は、カメラ４を取り付けるための取付面（以下、「取付面５１」という。）になっている。取付面５１には抜き孔５２が形成されている。抜き孔５２は、取付面５１のほぼ中央部に形成されている。抜き孔５２は、中空部４５に連通するように、カメラ取付用部材３２の肉厚部分を貫通する状態で正面視円形に形成されている。
【００３０】
（蓋部材）
蓋部材３３は、カメラ取付用部材３２の上端部を塞ぐように取り付けられるものである。蓋部材３３は、カメラ取付用部材３２の横断面形状に適合するように、横断面略Ｃ字形に形成されている。蓋部材３３は、カメラ取付用部材３２の中空部４５に嵌合して固定されるようになっている。蓋部材３３には、軸部材３１の第２軸部３７と同様に、横断面略半円形の溝部４６が形成されている。
【００３１】
（第１のカメラネジ）
第１のカメラネジ３４は、カメラ取付用部材３２の側面４９（取付面５１）にカメラ４を固定するためのネジである。第１のカメラネジ３４は、頭部５３と雄ネジ部５４とを一体に有している。第１のカメラネジ３４の頭部５３は、カメラ取付用部材３２の中空部４５内に配置される。第１のカメラネジ３４の雄ネジ部５４は、上述した抜き孔５２を通して取付面５１から垂直（横向き）に突出した状態に配置される。
【００３２】
（第２のカメラネジ）
第２のカメラネジ３５は、カメラ取付用部材３２の上端面４７にカメラ４を固定するためのネジである。第２のカメラネジ３５は、頭部５５と雄ネジ部５４とを一体に有している。第２のカメラネジ３５の頭部５５は、カメラ取付用部材３２の中空部４５内に配置される。第２のカメラネジ３５の雄ネジ部５６は、上述した蓋部材３３の溝部４６を通して、カメラ取付用部材３２の上端面４７および蓋部材３３の上端面から垂直（上向き）に突出した状態に配置される。
【００３３】
＜２．撮影装置の製造方法＞
次に、本発明の実施の形態に係る撮影装置の製造方法について説明する。
本実施の形態に係る撮影装置１の製造方法は、大きくは、雲台の組立工程、撮影用機器の組立工程、カメラの取付工程に分かれる。以下、各工程について詳しく説明する。
【００３４】
（雲台の組立工程）
まず、第１のカメラネジ３４にワッシャ５７（図３参照）を装着する。次に、カメラ取付用部材３２の内側（中空部４５側）から第１のカメラネジ３４の雄ネジ部５４を抜き孔５２に挿入することにより、雄ネジ部５４を取付面５１から突出させる。このとき、カメラ取付用部材３２の中空部４５が狭くて第１のカメラネジ３４を挿入しづらい場合は、カメラ取付用部材３２に外側から圧力を加えてカメラ取付用部材３２全体を弾性変形させるとよい。また、カメラ取付用部材３２の抜き孔５２に第１のカメラネジ３４の雄ネジ部５４を挿入したら、カメラ取付用部材３２の内面にワッシャ５７が密着するように、第１のカメラネジ３４の雄ネジ部５４を外側に引き込む。
【００３５】
次に、軸部材３１の第２軸部３７にカメラ取付用部材３２の中空部４５を嵌合させる。このとき、カメラ取付用部材３２の中空部４５に第２軸部３７を圧入により挿入する。また、軸部材３１の突き当て面４２がカメラ取付用部材３２の下端面４８に突き当たるまで、カメラ取付用部材３２の中空部４５に第２軸部３７を押し込む。これにより、カメラ取付用部材３２の中空部４５内では、軸部材３１の溝部３９に第１のカメラネジ３４の頭部５３が嵌り込む状態になる。
【００３６】
次に、図５に示すように、カメラ取付用部材３２の中空部４５内に注射器６０を用いて接着剤を塗布する。接着剤としては、たとえばビニール系接着剤を用いることができる。実際に接着剤を塗布するにあたっては、注射器６０のシリンジ６１に予め接着剤を収容しておき、注射器６０のロッド操作によりニードル６２の先端から接着剤を吐出させる。このとき、第１のカメラネジ３４の頭部５３が嵌り込んでいる軸部材３１の溝部３９に適量の接着剤を注入することにより、第１のカメラネジ３４の頭部５３を接着剤により軸部材３１の溝部３９に固定する。また、必要に応じて、カメラ取付用部材３２の内面とこれに接する軸部材３１の第２軸部３７の外面との境界部に接着剤を塗布して浸透させる。これにより、カメラ取付用部材３２と軸部材３１とが接着剤により相互に固定される。
【００３７】
次に、蓋部材３３の溝部４６に第２のカメラネジ３５の雄ネジ部５６を嵌め入れる。第２のカメラネジ３５の頭部５５は、カメラ取付用部材３２との位置的な干渉を避けるために、部分的に切り欠かれている。この頭部５５の切り欠き部分は、雄ネジ部５６を溝部４６に嵌め入れたときに、溝部４６両側の側面と略面一になるように配置する。
【００３８】
次に、第２のカメラネジ３５の頭部５５をカメラ取付用部材３２の中空部４５に対向させて、そのまま中空部４５に蓋部材３３を嵌合させる。このとき、中空部４５に蓋部材３３を圧入により挿入する。また、蓋部材３３の上端面がカメラ取付用部材３２の上端面４７と略面一になるまで、カメラ取付用部材３２の中空部４５に蓋部材３３を押し込む。これにより、雲台３の本体の上端面から第２のカメラネジ３５の雄ネジ部５６が垂直（上向き）に突出した状態になる。また、カメラ取付用部材３２の中空部４５に蓋部材３３を挿入する前に、中空部４５に露出している第２軸部３７の頂部に上記同様に注射器を用いて適量の接着剤を注入しておく。これにより、カメラ取付用部材３２、蓋部材３３および第２のカメラネジ３５が接着剤により相互に固定される。
以上で雲台３の組立工程が終了する。
【００３９】
（撮影用機器の組立工程）
撮影用機器の組立工程では、上述のようにして得られた雲台３を支柱２に取り付ける。その場合は、雲台３の本体下部に位置する軸部材３１の第１軸部３６を支柱２の上端部の開口に差し込む。このとき、第１軸部３６に軸孔３８が設けられていると、第１軸部３６を中実構造（軸孔３８のない構造）にした場合に比べて、第１軸部３６を支柱２の筒内に挿入（嵌合）しやすくなる。その理由は、軸孔３８の存在により、支柱２の開口形状にあわせて第１軸部３６の外形を適度に変形させることが可能となるからである。軸部材３１の第１軸部３６を支柱２に挿入する場合は、予め第１軸部３６の外面および支柱２の内面のうち少なくとも一方に接着剤を塗布しておく。これにより、支柱２と雲台３とが接着剤により相互に固定される。
【００４０】
なお、ここでは雲台３の組み立てを終えた後で、支柱２に雲台３を取り付けるものとしたが、これ以外にも、たとえば軸部材３１を支柱２に固定した後に、雲台３を組み立てることも可能である。
【００４１】
（カメラの取付工程）
カメラの取付工程では、支柱２および雲台３からなる撮影用機器に対し、カメラ４を取り付ける。その場合は、雲台３の取付面５１に次のようにカメラ４を取り付ける。まず、雲台３の取付面５１から突出している第１のカメラネジ３４の雄ネジ部５４をブラケット７の取付用孔８に通す。次に、カメラ４のブラケット７を雲台３の取付面５１に接触させるとともに、ブラケット７の下端部を雲台３の突き当て面４２に突き当てる。そして、その状態のもとで第１のカメラネジ３４の雄ネジ部５４にナット部材９の雌ネジ部を螺合させて締め付ける。これにより、雲台３の取付面５１にカメラ４が取り付けられる。
【００４２】
以上の工程により、支柱２の一端部に雲台３を用いてカメラ４が搭載される。
なお、雲台３に取り付け可能なカメラ４の仕様としては、ブラケット７を備えたものに限らない。たとえば、カメラ本体の底面部に雌ネジが設けられたカメラであれば、第２のカメラネジ３５を用いて雲台３の上にカメラを取り付けることが可能である。その場合は、図示しないゴムシート付きの台座ネジを第２のカメラネジ３５の雄ネジ部５６に螺合させ、その台座ネジの上にカメラを搭載することになる。
【００４３】
＜３．実施の形態の効果＞
本発明の実施の形態によれば、以下に記述する効果の少なくとも一つが得られる。
【００４４】
本発明の実施の形態においては、カメラ４が取り付けられる雲台３の本体を衝撃吸収材で構成しているため、たとえば高所の点検箇所を撮影する際に、誤ってカメラ４を周囲の障害物などにぶつけてしまった場合でも、そのときの衝撃が雲台３の本体部分で吸収される。このため、従来よりもカメラ４が受ける衝撃を和らげることができる。したがって、支柱２の一端部に搭載されたカメラ４を障害物にぶつけてしまった場合でも、そのときの衝撃が和らげられることでカメラ４が故障しにくくなる。また、障害物の一例としてカメラ４を窓ガラスにぶつけてしまった場合にも、そのときの衝撃が雲台３によって吸収されるため、窓ガラスが破損しにくくなる。
【００４５】
また、雲台３の本体を構成する衝撃吸収材にゴムを用いた場合は、全方向からの衝撃に対して高い吸収効果が得られる。
【００４６】
また、衝撃吸収材に用いるゴムのＪＩＳ Ｋ ６２５３ デュロメーター硬さ試験 タイプＡ硬度を３０以上、７０以下とすれば、カメラ４で撮影するときのブレ等を適度に抑えつつ、高い衝撃吸収効果を得ることができる。
【００４７】
また、本実施の形態においては、雲台３の本体を、軸部材３１、カメラ取付用部材３２および蓋部材３３といった複数の部材の組み合わせによって構成している。このため、たとえば、外径の異なる支柱２を使用する場合でも、カメラ取付用部材３２と蓋部材３３を共用としたまま、軸部材３１の第１軸部３６の外径を変更するだけで対応可能となる。
【００４８】
また、本発明の実施の形態においては、雲台３の本体の側面から突出するように第１のカメラネジ３４を設けるとともに、雲台３の本体の上端面から突出するように第２のカメラネジ３５を設けている。このため、ブラケット７等を具備するカメラ４とブラケット７等を具備しないカメラの両方に対応することができる。すなわち、ブラケット７等を具備するカメラ４については、第１のカメラネジ３４を利用して雲台３に固定することができ、ブラケット７等を具備しないカメラについては、第２のカメラネジ３５を利用して雲台３に固定することができる。
【００４９】
＜４．変形例等＞
本発明の技術的範囲は上述した実施の形態に限定されるものではなく、発明の構成要件やその組み合わせによって得られる特定の効果を導き出せる範囲において、種々の変更や改良を加えた形態も含む。
【００５０】
たとえば、上記実施の形態においては、雲台３を支柱２に固定するにあたって、軸部材３１の第１軸部３６を支柱２の筒内に挿入したが、本発明はこれに限らず、第１軸部３６を支柱２の外側に嵌合させる構成であってもよい。具体的には、第１軸部３６の外径と軸孔３８の内径をそれぞれ大きくし、支柱２を軸孔３８に挿入することにより、軸部材３１を支柱２の外側に嵌合させてもよい。さらにその場合は、必要に応じて、軸部材３１の外周面をベルト等の締結具で締め付けるようにしてもよい。
【００５１】
また、上記実施の形態においては、カメラ取付用部材３２に２つのカメラネジ（３４，３５）を設けるようにしたが、本発明はこれに限らず、いずれか一方のカメラネジのみを備えた構成であってもよい。
【００５２】
また、上記実施の形態においては、複数の部材（３１，３２，３３）を組み合わせて雲台３の本体を構成したが、本発明はこれに限らず、雲台３の本体を単一の部材からなる一体構造にしてもよい。その場合、雲台３の本体は、支柱２の一端部に嵌合固定される第１の本体部分と、カメラ４を取り付けるための第２の本体部分とを一体に備えたものとなる。そして、第２の本体部分にカメラネジが設けられ、このカメラネジを利用して雲台３にカメラを取付可能な構成となる。かかる構成においても、支柱２と雲台３との嵌合を容易に行えるように、第１の本体部分の中心軸上に軸孔を設けることが望ましい。
【符号の説明】
【００５３】
１…撮影装置
２…支柱
３…雲台
４…カメラ
３１…軸部材
３２…カメラ取付用部材
３３…蓋部材
３４…第１のカメラネジ
３５…第２のカメラネジ
【図１】
2016095391.tif 000003
【図２】
2016095391.tif 000004
【図３】
2016095391.tif 000005
【図４】
2016095391.tif 000006
【図５】
2016095391.tif 000007